(57)【要約】【課題】支持構造体に表装形成体を取り付ける什器構造において、表装形成体の支持構造体への係合部に工具をアクセス可能としつつ、このアクセス通路を合理的に遮蔽可能とする。【解決手段】肘掛け本体２１と、弾性層（表装体３３）を有して肘掛け本体２１に着脱可能に取り付けられるパッド体３１と、を備え、肘掛け本体２１とパッド体３１との間には、肘掛け本体２１に対するパッド体３１の移動を規制する弾性係合部５１が設けられ、肘掛け本体２１およびパッド体３１の少なくとも一方には、肘掛け外側から弾性係合部５１に向けて工具ＴＬを挿入可能な工具逃げ部５６が設けられ、パッド体３１は、少なくとも一部が弾性変形する遮蔽部５７を有し、遮蔽部５７の弾性変形を伴って、工具逃げ部５６を遮蔽した第一状態から工具逃げ部５６を露呈させた第二状態へ移行するように構成されている。【選択図】図１０
2019126378.tif 000002
【特許請求の範囲】
【請求項１】
支持構造体と、前記支持構造体に着脱可能に取り付けられる表装形成体と、を備え、
前記支持構造体と前記表装形成体との間には、前記支持構造体に対する前記表装形成体の移動を規制する係合部が設けられ、
前記支持構造体および表装形成体の少なくとも一方には、什器外側から前記係合部に向けて工具を挿入可能な工具逃げ部が設けられ、
前記表装形成体は、少なくとも一部が弾性変形する遮蔽部を有し、前記遮蔽部の弾性変形を伴って、前記工具逃げ部を遮蔽した第一状態から前記工具逃げ部を露呈させた第二状態へ移行するように構成されている什器構造。
【請求項２】
前記表装形成体は、弾性層を有している請求項１に記載の什器構造。
【請求項３】
前記遮蔽部は、前記弾性層を含んで構成されている請求項２に記載の什器構造。
【請求項４】
前記表装形成体は、前記弾性層を支持するとともに前記支持構造体への係合要素を形成するベース体を備え、
前記ベース体には、前記工具逃げ部が設けられている請求項２又は３に記載の什器構造。
【請求項５】
前記支持構造体と前記表装形成体との間には、前記支持構造体に対して前記表装形成体が荷重入力面に沿う第一の方向に移動することで係合し、前記支持構造体に対する前記表装形成体の離脱を規制する第二係合部が設けられ、
前記係合部は、前記支持構造体に対して前記表装形成体が前記第一の方向と反対側の第二の方向に移動することを規制する請求項１から４の何れか一項に記載の什器構造。
【請求項６】
前記係合部は、
前記支持構造体に設けられ、前記第一の方向を向く第一係止面を有する係合リブと、
前記表装形成体に設けられ、前記第二の方向を向くとともに前記第一係止面に係合可能な第二係止面を有し、弾性変形することによって前記第二係止面を前記第一係止面との係合位置から退避可能な弾性レバー部と、を備えている請求項５に記載の什器構造。
【請求項７】
前記第二係合部は、前記荷重入力面の長手方向で複数設けられ、
前記係合部は、複数の前記第二係合部の内、前記長手方向で順に並ぶ一対の前記第二係合部の間に設けられ、かつ前記一対の第二係合部の間の前記長手方向の中央位置よりも前記第一の方向に寄って配置されている請求項５又は６に記載の什器構造。
【発明の詳細な説明】
【技術分野】
【０００１】
本発明は、什器構造に関する。
【背景技術】
【０００２】
椅子の肘掛けといった什器構造に関し、例えば、下記特許文献１，２に開示されるものが公知である。
まず、特許文献１に開示される椅子の肘掛けは、肘支柱８の上端部から水平方向に面的な広がりを有する肘当て１０を有している。肘当て１０は、下方から挿入されるネジによって互いに連結される基板１１と天板１２とを有する。このような構成は、下方に露呈するネジの頭部に着座者の手が触れることによって、着座者に違和感を与えることから、改善が求められている。
【０００３】
そこで、特許文献２に開示される構成を採用することが考えられる。この構成においては、肘掛け構造体２１の上部杆２２の上面に中間部材４５が固着され、この中間部材４５に形成された構造体側上面係止部２８の下面側に、肘当て部材３１に形成された肘当て側上面係止部３８が下方から係合することによって、肘当て部材３１が上方へ変位しないよう規制されている。そして、肘掛け構造体２１と肘当て部材３１とは前後方向には変位する関係にあるため、肘掛け構造体２１の前端部に形成された肘掛け側前面係止部２９と、肘当て部材３１の前端部に形成された構造体側前面係止部３９と、を係合させることで、上面係止部同士の係合が解除されないようになっている。換言すると、特許文献２における肘当て部材３１は、肘掛け構造体２１に対して、いわゆる嵌め殺し状態で連結されている。このような構成を採用することにより、肘当て部材を、ネジを使用することなく堅牢に構造体に支持することができる。
【先行技術文献】
【特許文献】
【０００４】
【特許文献１】特許第５８７９３９４号公報
【特許文献２】特開２０１７−０８６２７８号公報
【発明の概要】
【発明が解決しようとする課題】
【０００５】
ところで、上記した什器構造において、肘当て部材の係合部の一部破損や、肘当て部材の上層に取り付けられた表装体の交換等を目的として、肘当て部材を取り外す必要が生じることがある。
しかし、特許文献２に開示される構成においては、構造体に対して肘当て部材が嵌め殺し状態で連結されており、肘掛け側前面係止部２９と構造体側前面係止部３９とが外部からアプローチ不能であることから、肘当て部材を取り外す作業を行うことが困難である。また、係合部への作業孔を設ける場合は、別途の遮蔽部材を必要とし、部品点数を増加させるとともに外観に影響を与えてしまう。
【０００６】
本願発明は、上記の技術的課題に鑑みてなされたもので、支持構造体に表装形成体を取り付ける什器構造において、表装形成体の支持構造体への係合部に工具をアクセス可能としつつ、このアクセス通路を合理的に遮蔽可能とすることを目的とする。
【課題を解決するための手段】
【０００７】
上記課題の解決手段として、本発明は、支持構造体と、前記支持構造体に着脱可能に取り付けられる表装形成体と、を備え、前記支持構造体と前記表装形成体との間には、前記支持構造体に対する前記表装形成体の移動を規制する係合部が設けられ、前記支持構造体および表装形成体の少なくとも一方には、什器外側から前記係合部に向けて工具を挿入可能な工具逃げ部が設けられ、前記表装形成体は、少なくとも一部が弾性変形する遮蔽部を有し、前記遮蔽部の弾性変形を伴って、前記工具逃げ部を遮蔽した第一状態から前記工具逃げ部を露呈させた第二状態へ移行するように構成されている什器構造を提供する。
この構成によれば、支持構造体に表装形成体を取り付けた際の表装形成体の相対移動を係合部で規制するとともに、この係合部に通じる工具逃げ部を表装形成体の遮蔽部で遮蔽した。表装形成体を取り外す際には、表装形成体の遮蔽部の少なくとも一部を弾性変形させて工具逃げ部を露呈させることで、係合部に工具を差し込んで係合解除を行うことができる。工具逃げ部は、通常時には遮蔽部によって遮蔽されているので、什器の外観を良好にするとともに、係合部への意図せぬ操作や悪戯を防止することができる。遮蔽部は、表装形成体の一部を利用することで、少ない部品点数と簡単な構造で、遮蔽部の弾性変形を伴って工具逃げ部を開閉する構造を設けることができる。
【０００８】
本発明において、前記表装形成体は、弾性層を有している構成でもよい。
この構成によれば、表装形成体全体が弾性を有することによって、遮蔽部の弾性変形を阻害しないので、遮蔽部の弾性変形を伴って工具逃げ部を露呈させる作業を容易にすることができる。
【０００９】
本発明において、前記遮蔽部は、前記弾性層を含んで構成されている構成でもよい。
この場合、工具逃げ部を遮蔽する遮蔽部を弾性変形させる際、遮蔽部の弾性変形が容易になり、表装形成体を取り外す際に工具逃げ部を露呈させやすくなるので、表装形成体の着脱作業性を向上させることができる。また、遮蔽部を表装形成体と一体形成可能となり、部品点数を増やすことなく弾性変形可能な遮蔽部を設けることができる。
【００１０】
本発明において、前記表装形成体は、前記弾性層を支持するとともに前記支持構造体への係合要素を形成するベース体を備え、前記ベース体には、前記工具逃げ部が設けられている構成でもよい。
この場合、支持構造体への係合要素を形成するベース体が弾性変形し難くても、このベース体に工具逃げ部を設けることで、工具の挿入を容易にすることができる。
【００１１】
本発明において、前記支持構造体と前記表装形成体との間には、前記支持構造体に対して前記表装形成体が荷重入力面に沿う第一の方向に移動することで係合し、前記支持構造体に対する前記表装形成体の離脱を規制する第二係合部が設けられ、前記係合部は、前記支持構造体に対して前記表装形成体が前記第一の方向と反対側の第二の方向に移動することを規制する構成でもよい。
この場合、支持構造体に対する表装形成体の離脱は第二係合部で規制し、この第二係合部の係合解除方向への表装形成体の移動のみ係合部で規制することで、係合部を簡単かつ小型にし、係脱に要する力も軽減することが可能となる。このため、表装形成体の着脱作業を容易にすることができる。また、遮蔽部の弾性変形により生じた隙間からの作業でも容易に係合部の係合解除を行うことができる。
【００１２】
本発明において、前記係合部は、前記支持構造体に設けられ、前記第一の方向を向く第一係止面を有する係合リブと、前記表装形成体に設けられ、前記第二の方向を向くとともに前記第一係止面に係合可能な第二係止面を有し、弾性変形することによって前記第二係止面を前記第一係止面との係合位置から退避可能な弾性レバー部と、を備えている構成でもよい。
この場合、係合リブの第一係止面と弾性レバー部の第二係止面との当接係合により、表装形成体が第二の方向（係合解除方向）に移動することが規制される。弾性レバー部は、係合位置に挿入した工具により弾性変形することで、第一係止面と第二係止面との係合を解除して表装形成体を第二の方向に移動可能とする。したがって、簡単な構成で表装形成体の着脱作業を容易にすることができる。
【００１３】
本発明において、前記第二係合部は、前記荷重入力面の長手方向で複数設けられ、前記係合部は、複数の前記第二係合部の内、前記長手方向で順に並ぶ一対の前記第二係合部の間に設けられ、かつ前記一対の第二係合部の間の前記長手方向の中央位置よりも前記第一の方向に寄って配置されている構成でもよい。
この場合、荷重入力面の長手方向に並ぶ複数の第二係合部の内、長手方向で隣り合う一対の第二係合部の間に係合部を配置し、この係合部を一対の第二係合部の内の第一の方向（係合方向）にあるものに近付けて配置した。一対の第二係合部の間で荷重入力面に荷重入力があると、一対の第二係合部の内の係合方向にある第二係合部では、表装形成体の撓みにより表装形成体の係合要素が引き込まれ、この係合要素が係合解除方向へ移動しようとする。この第二係合部の近くに係合部を配置し、表装形成体の係合解除方向への移動を規制することで、第二係合部の係合が予期せず解除されて表装形成体が外れてしまうことを効果的に防ぐことができる。
【発明の効果】
【００１４】
本発明によれば、支持構造体に表装形成体を取り付ける什器構造において、表装形成体の支持構造体への係合部に工具をアクセス可能としつつ、このアクセス通路を合理的に遮蔽可能とすることができる。
【図面の簡単な説明】
【００１５】
【図１】本実施形態に係る椅子の斜視図である。
【図２】上記椅子の左側面図である。
【図３】上記椅子の肘掛け周辺の左側面図である。
【図４】上記椅子の肘掛け周辺の斜視図である。
【図５】上記肘掛けのパッド体の下面側を見上げた斜視図である。
【図６】上記肘掛けの平面図である。
【図７】図６のＶＩＩ−ＶＩＩ断面図である。
【図８】図６のＶＩＩＩ−ＶＩＩＩ断面図である。
【図９】図６のＩＸ−ＩＸ断面図である。
【図１０】上記肘掛けのパッド体を取り外す際の作用を示す図９に相当する断面図である。
【発明を実施するための形態】
【００１６】
以下、本発明の一実施形態に係る椅子について図面を参照して説明する。
以下の説明において、便宜上、椅子１に着座した利用者（着座者）が前を向く方向を「前方」、その反対方向を「後方」、つまり図２の紙面に沿った横方向を前後方向又は奥行方向と称する。さらに、椅子１を設置する床側とその反対側とを結ぶ方向を上下方向、椅子１の幅方向、つまり図２の紙面に直交する方向を左右方向又は幅方向と称する。なお、図中適所には、椅子１の幅方向を示す矢印Ｘ、椅子１の奥行方向を示す矢印Ｙ、椅子１の上下方向を示す矢印Ｚが示されている。
【００１７】
図１、図２に示すように、椅子１は、平面視で放射状に配置された複数（五本）の脚杆２ａを有する脚体２を備えている。各脚杆２ａの先端部には、それぞれ床面Ｆに接地するキャスタ２ｂが設けられている。脚体２の中央には、ガススプリングを内蔵した伸縮式の脚柱３が起立している。脚柱３は、下部を構成する外筒３ａと上部を構成する内筒３ｂとを相対回転可能に有している。脚柱３の上端には、支基４の後部が固定されている。支基４は、背凭れ５を支持する背凭れ支持杆６を傾動可能（回動可能）に支持するとともに、着座面１４ｂを形成する座体１４を背凭れ支持杆６と連動して傾動可能に支持している。
【００１８】
背凭れ支持杆６は、左右一対に設けられ、それぞれ側面視Ｌ字状をなしている。背凭れ支持杆６は、例えばアルミニウム合金等の金属材料で構成されている。背凭れ支持杆６は、支基４の側方に隣接する位置から後方へ延びる後方延出部６ａと、後方延出部６ａの後端に連なり上方へ屈曲する湾曲部６ｂと、湾曲部６ｂの上端に連なり上方へ延びる上方延出部６ｃと、を有している。上方延出部６ｃは、後方延出部６ａに対して幅方向外側へ変位している。左右の上方延出部６ｃの間には、背凭れ５の下部が挟まれて支持されている。
【００１９】
上方延出部６ｃの幅方向外側には、肘掛け２０の後部が固定されている。肘掛け２０の上面すなわち肘載せ面３１ａは、上方延出部６ｃの上端と略同一高さにある。肘載せ面３１ａは、背凭れ５における着座者の腰部を後方から支持する前方突出部５ａと略同一高さにある。
【００２０】
座体１４は、背凭れ支持杆６に連結された座受け部材１４ａ上に、前後スライド可能に支持されている。左右背凭れ支持杆６の前部には、上向きに延びる座支持杆６ｄがそれぞれ一体に設けられている。例えば、座支持杆６ｄは、背凭れ支持杆６に一体形成されている。図中符号Ｃ１は支基４の側方に突出して背凭れ支持杆６の前端部を支持する回動軸（リクライニング軸）の中心軸線を示す。
【００２１】
左右座支持杆６ｄの上端部には、それぞれ座受け部材１４ａの後部が、回動軸の軸線Ｃ１と平行な軸線Ｃ２の回動軸を介して回動可能に軸支されている。座受け部材１４ａの前部は、上下方向を向く起立姿勢をなす左右一対のリンク部材１２の上端部に、軸線Ｃ１と平行な軸線Ｃ３の回動軸を介して回動可能に軸支されている。左右リンク部材１２の下端部は、軸線Ｃ１と平行な軸線Ｃ４の回動軸を介して、支基４の前部に回動可能に軸支されている。
【００２２】
背凭れ５と座体１４とは、図２に示す側面視で、第一節Ｌ１、第二節Ｌ２、第三節Ｌ３および第四節Ｌ４を有する四節リンク状の連動機構１５を介して連動可能である。
背凭れ５は、後方へ傾動する前（リクライニング前）の起立位置（図２参照）からリクライニング位置に向けて後方へ回動したとき、連動機構１５の作用により、座体１４を後方へ移動させつつ後下がりに傾斜させる。
【００２３】
以下、本実施形態の肘掛け２０周辺の構造について詳細に説明する。なお、左右の肘掛け２０周辺は互いに左右対称の構成を有しており、以下の説明では、図２以降に示す左側の肘掛け２０を参照して説明を行い、右側の肘掛け２０については説明を省略する。また、以下の説明において、肘掛け２０の上下、前後および左右の向きは、特に記載がなければ肘掛け２０を背凭れ支持杆６に取り付けた状態での向きと同一とする。
【００２４】
図２、図３に示すように、肘掛け２０は、背凭れ５に支持される肘掛け本体（支持構造体）２１と、肘掛け本体２１に取り付けられるパッド体（表装形成体）３１と、を備えている。
肘掛け本体２１は、側面視で概略三角形状の枠状に一体形成されている。肘掛け本体２１は、背凭れ支持杆６と同様、例えばアルミニウム合金等の金属材料で構成されている。肘掛け本体２１は、前後方向に延びる上部杆２２と、上部杆２２の前部から後下方へ延びる前部杆２３と、上部杆２２および前部杆２３の後端部間に渡る後部杆２４と、を有している。後部杆２４は、背凭れ支持杆６の上方延出部６ｃの幅方向外側に、上下一対のボルト等によって締結固定されている。
【００２５】
上部杆２２は、パッド体３１が取り付けられることで、着座者の肘および前腕を支持する肘載せ部３０を構成している。上部杆２２の前端部は、着座者の手指を掛ける部位として使用される。上部杆２２の前端部の下方には、例えばワイヤケーブル等を介して支基４側と機械的に連結される操作レバー２３ｃが配置されている。操作レバー２３ｃは、例えば支基４内のリクライニング機構や支柱の昇降機構等を操作可能としている。
【００２６】
図４を参照し、上部杆２２は、上下幅を抑えた偏平の樋状に形成されている。上部杆２２内には、格子状のリブ４１が形成されている。上部杆２２には、上部杆２２の樋形状の上面部（開放部）２２ａを上方から覆うようにパッド体３１が取り付けられている。
【００２７】
図５を参照し、例えば、パッド体３１は、肘載せ面３１ａを含む外面を形成する例えば比較的軟質の合成樹脂製の表装体３３と、表装体３３を外装して上部杆２２側から表装体３３を支持するとともに、上部杆２２に対する取り付け構造（パッド側係止部３５）を形成する例えば比較的硬質の合成樹脂製のベース体３４と、を備えている。パッド体３１は、素材の異なる二種類の部材により、肘載せ面３１ａの柔軟な感触と上部杆２２への取り付け強度とを両立させている。
【００２８】
パッド体３１は、例えば二色成形等の手段により表装体３３とベース体３４とを一体成形している。なお、パッド体３１は、インサート成形により表装体３３とベース体３４とを一体成形してもよい。また、パッド体３１は、互いに別体の表装体３３とベース体３４とを嵌め合わせて一体化してもよい。ベース体３４は表装体３３と比べて硬質であるが、ある程度撓ませることが可能である。
【００２９】
図４、図５を参照し、上部杆２２の上面側には、パッド体３１を取り付けるための（ベース体３４を係合させるための）複数の係止片３２が、それぞれビス３２ａにより固定されている。パッド体３１は、下面部を上部杆２２の上面部２２ａに上方から対向、当接させた状態で、上部杆２２の上面部２２ａに沿うように後方へスライド移動することで、後述する複数のパッド側係止部３５を対応する係止片３２にそれぞれ係合させて、肘掛け２０への取り付け状態となる。
【００３０】
なお、係止片３２を上部杆２２に一体形成すると、上部杆２２の内部形状を形成する金型を上下方向で型抜きする場合、係止片３２がオーバーハングするが、係止片３２を別体としてビス固定とすることで、大型の肘掛け本体２１における上部杆２２を形成する金型の複雑化を抑えている。各パッド側係止部３５および係止片３２の組は、パッド体３１を上部杆２２に取り付けるための取り付け係合部３６を構成している。
【００３１】
図３、図４を参照し、前部杆２３は、上部杆２２の前部の下方に突出するように形成される側面視逆三角形状の下方突出部２３ａと、下方突出部２３ａの下端部から下後方へ湾曲するように指向して延びる下後方延出部２３ｂと、を有している。下方突出部２３ａには前記操作レバー２３ｃが支持され、この操作レバー２３ｃが下方突出部２３ａの前方に突出している。操作レバー２３ｃの上方かつ下方突出部２３ａよりも前方には、上部杆２２の前端部が配置されている。
【００３２】
後部杆２４は、側面視で背凭れ５の下部の傾斜に沿うように、下方に位置するほど後方に位置するように傾斜している。後部杆２４は、上部杆２２および前部杆２３に対して、幅方向内側にオフセットしている。後部杆２４は、背凭れ支持杆６の上方延出部６ｃに、例えば上下一対のボルトにより締結固定されている。
【００３３】
図中符号で示すボルトＢ３は、肘掛け本体２１の後上部から下方かつ幅方向内側へ斜めに挿通されるボルトである。上部杆２２の後部、および上方延出部６ｃの上部には、これらをボルトＢ３の傾斜に沿って貫通するボルト挿通孔２５が形成されている。ボルト挿通孔２５は、上部杆２２の後部の上面部２２ａ（後部杆２４の上端部でもある）に開口２５ａを形成している。ボルトＢ３は、開口２５ａからボルト挿通孔２５へ挿入されて、背凭れ５の下部に保持したナットに螺着し締め込まれる。これにより、上部杆２２の後部が、上方延出部６ｃの上部を介して背凭れ５の下部に締結固定されている。ボルト挿通孔２５の開口２５ａは、ボルトＢ３の頭部とともにパッド体３１により肘掛け外側から遮蔽されている。
【００３４】
以下、上部杆２２およびパッド体３１を主構成とする肘載せ部３０について詳細に説明する。
図６を参照し、肘載せ部３０は、略一定の左右幅を有して前後方向に延びている。肘載せ部３０は、前後方向に延びる内側縁部３０ａおよび外側縁部３０ｂ、並びに前端縁部３０ｃおよび後端縁部３０ｄを有している。
【００３５】
内側縁部３０ａは、概ね前後方向に沿うように（詳細には後側ほど左右方向内側に位置するように傾斜して）延びている。外側縁部３０ｂは、平面視で左右方向外側に凸となるように緩やかに湾曲して延びている。外側縁部３０ｂの後部は、外側縁部３０ｂの前部に比べて、後側ほど左右方向内側に位置するように曲率を大きくしている。この外側縁部３０ｂの後部の湾曲により、肘載せ部３０の後部は、後側ほど左右幅を狭めるように形成されている。
【００３６】
前端縁部３０ｃは、内外側縁部３０ａ，３０ｂの前端部間に渡り、平面視で前方に凸となるように緩やかに湾曲して延びている。後端縁部３０ｄは、内外側縁部３０ａ，３０ｂの後端部間に渡り、左右方向外側ほど前方に位置するように傾斜して延びている。
【００３７】
図３を参照し、肘載せ部３０は、側面視で肘載せ面３１ａに沿うように形成されている。すなわち、肘載せ部３０は、側面視で前半部が上方に凸となるように緩やかに湾曲している。肘載せ部３０の側面視の頂部３０ｅは、肘載せ部３０の前後方向中央部よりも前側に位置している。肘載せ部３０は、頂部３０ｅよりも前方では前下がりに傾斜し、頂部３０ｅよりも後方では後下がりに傾斜している。
【００３８】
図４、図６を参照し、肘載せ部３０の前端部、前後方向中央部および後端部には、それぞれ幅方向で一対の係止片３２が配置されている。各係止片３２は、平面視長方形状の板材であり、長手方向一側の基部がビス３２ａにより上部杆２２の締結部３２ｂにそれぞれ固定され、長手方向他側の先端部３２ｃが後述する係合空間Ｋ１内にそれぞれ突出している。
【００３９】
肘載せ部３０の前端部および前後方向中央部の各一対の係止片３２は、それぞれ左右方向に離間して並び、前方に向けて矩形状の先端部３２ｃを延ばしている。
肘載せ部３０の後端部の一対の係止片３２は、前後方向で基部を隣接させるように並び、左右方向外側および内側に向けて矩形状の先端部３２ｃを延ばしている。具体的に、肘載せ部３０の後端部前側の係止片３２は、左右方向外側に先端部３２ｃを延ばし、肘載せ部３０の後端部後側の係止片３２は、左右方向内側に先端部３２ｃを延ばしている。
【００４０】
図４を参照し、上部杆２２内の格子状のリブ４１は、前後方向に延びる複数（四つ）の前後方向リブ４２と、複数の前後方向リブ４２の間を適宜連結する複数の幅方向リブ４３〜４６と、を有している。
以下、複数の前後方向リブ４２を、左右方向外側から順に、第一〜第四前後方向リブ４２−１〜４２−４と称することがある。
【００４１】
また、肘載せ部３０の前端部に位置する幅方向リブ４３を、左右方向外側から順に、第一〜第三前部幅方向リブ４３−１〜４３−３と称し、肘載せ部３０の後端部に位置する幅方向リブ４４を、左右方向外側から順に、第一〜第三後部幅方向リブ４４−１〜４４−３と称し、肘載せ部３０の前後中間部前側に位置する幅方向リブ４５を、左右方向外側から順に、第一〜第三中間前側幅方向リブ４５−１〜４５−３と称し、肘載せ部３０の前後中間部後側に位置する幅方向リブ４６を、左右方向外側から順に、第一〜第三中間後側幅方向リブ４６−１〜４６−３と称する。なお、本実施形態の「中間部」とは、前後方向中央部を含む前後幅を有する範囲を示す。
【００４２】
第二前部幅方向リブ４３−２は、第二および第三前後方向リブ４２−２，４２−３の前端部間を連結している。第一および第三前部幅方向リブ４３−１，４３−３は、各前後方向リブ４２の前端部よりも後方となる位置で、第一および第二前後方向リブ４２−１，４２−２の間、ならびに第三および第四前後方向リブ４２−３，４２−４の間をそれぞれ連結している。第一および第三前部幅方向リブ４３−１，４３−３の前方には、これら幅方向リブと各前後方向リブ４２の前端部とに囲まれた凹状の締結部３２ｂが形成され、この締結部３２ｂに係止片３２の基部が固定されている。各締結部３２ｂの前方には、各係止片３２の下面と、上部杆２２の上面部２２ａとが、互いに間隔を空けて対向することによって、各係止片３２に対応する係合空間Ｋ１が形成されている。
【００４３】
第一後部幅方向リブ４４−１は、第一および第二前後方向リブ４２−１，４２−２の後端部間を連結し、第二後部幅方向リブ４４−２は、第二および第三前後方向リブ４２−２，４２−３の後端部間を連結し、第三後部幅方向リブ４４−３は、第三および第四前後方向リブ４２−３，４２−４の後端部間を連結している。第一および第二後部幅方向リブ４４−１，４４−２は、互いに面一状に連なり、第三後部幅方向リブ４４−３よりも前方に変位している。第二後部幅方向リブ４４−２の後方には、前側の係止片３２を固定する締結部３２ｂが形成され、この締結部３２ｂの後方には、後側の係止片３２を固定する締結部３２ｂが形成されている。第一後部幅方向リブ４４−１の後方には、前側の係止片３２の下面と、上部杆２２の上面部２２ａとが、互いに間隔を空けて対向することによって、前側の係止片３２に対応する係合空間Ｋ１が形成されている。第三後部幅方向リブ４４−３の後方には、後側の係止片３２の下面と、上部杆２２の上面部２２ａとが、互いに間隔を空けて対向することによって、後側の係止片３２に対応する係合空間Ｋ１が後方に離間して形成されている。
【００４４】
ここで、第一および第四前後方向リブ４２−１，４２−４の前後中間部は、所定の前後幅で切除されている。すなわち、第一および第四前後方向リブ４２−１，４２−４の前後中間部には、所定の前後幅のリブ切り欠き部４７が形成されている。リブ切り欠き部４７は、上部杆２２の前後中間部の係合空間Ｋ１を、それぞれ上部杆２２の幅方向外側へ開放させている。なお、上部杆２２の前後端部の各係合空間Ｋ１も、それぞれ上部杆２２の幅方向外側へ開放している。
【００４５】
リブ切り欠き部４７の前端位置において、第一中間前側幅方向リブ４５−１は、第一および第二前後方向リブ４２−１，４２−２の端部間を連結し、第二中間前側幅方向リブ４５−２は、第二および第三前後方向リブ４２−２，４２−３の端部間を連結し、第三中間前側幅方向リブ４５−３は、第三および第四前後方向リブ４２−３，４２−４の端部間を連結している。各中間前側幅方向リブ４５は、各前後方向リブ４２の端部位置で、相互に面一状に連なっている。
【００４６】
リブ切り欠き部４７の後端位置において、第一中間後側幅方向リブ４６−１は、第一および第二前後方向リブ４２−１，４２−２の端部間を連結し、第二中間後側幅方向リブ４６−２は、第二および第三前後方向リブ４２−２，４２−３の端部間を連結し、第三中間後側幅方向リブ４６−３は、第三および第四前後方向リブ４２−３，４２−４の端部間を連結している。各中間後側幅方向リブ４６は、各前後方向リブ４２の端部よりも後方となる位置で、相互に面一状に連なっている。第一および第三中間後側幅方向リブ４６−１，４６−３の前方には、これら幅方向リブと各前後方向リブ４２の前端部とに囲まれた凹状の締結部３２ｂが形成され、この締結部３２ｂに係止片３２の基部が固定されている。各締結部３２ｂの前方には、各係止片３２の下面と、上部杆２２の上面部２２ａとが、互いに間隔を空けて対向することによって、各係止片３２に対応する係合空間Ｋ１が形成されている。
【００４７】
図５を参照し、パッド体３１のベース体３４は、肘載せ面３１ａに沿う板状をなしている。ベース板の外周部３１ｂには、上方に開放する断面コ字状の補強部３７が外周縁に沿って延びている。補強部３７は、延び方向に並ぶ複数の節３７ａを有して剛性を高めている。ベース板の下面における補強部３７よりも内周側の部位には、下方（上部杆２２側）に起立する内周壁部３８が形成されている。ベース体３４の下面には、平面視格子状のビード３４ａが形成されている。
【００４８】
図９を併せて参照し、内周壁部３８は、補強部３７の内周側に間隔を空けて配置され、補強部３７に沿うように延びている。内周壁部３８は、補強部３７よりも下方に突出し、上部杆２２の内部空間に入り込むように設けられている。内周壁部３８は、上部杆２２における上方に起立した外周壁部２２ｂと上下方向位置をラップさせている。ベース体３４の左右方向内側において、内周壁部３８には、後述する工具差し込み位置と左右方向で並ぶように切り欠き部（以下、パッド内周切り欠き部３８ａと称する。）が形成されている。
【００４９】
図５を参照し、ベース体３４における各係止片３２に対応する位置には、側面視Ｌ字状をなすパッド側係止部３５が形成されている。パッド側係止部３５は、ベース体３４の下面から下方に起立する前壁部３５ａと、前壁部３５ａの下端から後方に延びる下壁部３５ｂと、ベース体３４の下面、前壁部３５ａおよび下壁部３５ｂに渡る側壁部３５ｃと、を有している。側壁部３５ｃは、各パッド側係止部３５におけるベース体３４の幅方向外側の側面に位置している。
【００５０】
各パッド側係止部３５は、対応する係止片３２とともに、肘載せ部３０の前端部、前後方向中央部および後端部の各々において取り付け係合部３６を構成している。以下、肘載せ部３０の前端部、前後方向中央部および後端部の各々に位置する取り付け係合部３６を、肘載せ部３０の前側から順に、第一〜第三取り付け係合部３６−１〜３６−３と称することがある（図６参照）。
【００５１】
図７、図８を併せて参照し、ベース体３４ひいてはパッド体３１を上部杆２２の上面に取り付けた際、各パッド側係止部３５は、下壁部３５ｂを係止片３２の先端部３２ｃの下方から係合させて、パッド体３１の上部杆２２上方への離脱を規制する。各パッド側係止部３５は、前壁部３５ａを係止片３２の先端部３２ｃの前縁に前方から係合させるとともに、側壁部３５ｃを係止片３２の先端部３２ｃの側縁に側方から係合させて、パッド体３１の後方移動および左右方向移動を規制する。ベース体３４と上部杆２２との間には、各パッド側係止部３５を係止片３２に係合させた状態で、ベース体３４ひいてはパッド体３１の前方移動を規制する弾性係合部（スナップフィット部）５１を備えている。
【００５２】
図４、図５を参照し、弾性係合部５１は、上部杆２２に設けられ、後方を向く第一係止面５２ａを有する第三中間前側幅方向リブ４５−３および第三後部幅方向リブ４４−３（以下、係合リブ５２と称することがある。）と、ベース体３４に設けられ、前方を向くとともに第一係止面５２ａに前後方向で対向して当接可能な第二係止面５３ａを有し、上方に弾性変位することで第二係止面５３ａを第一係止面５２ａとの係合位置から退避可能な弾性レバー部５３と、を備えている。弾性係合部５１は、第一係止面５２ａと第二係止面５３ａとの当接係合によって、上部杆２２に対するパッド体３１の前方移動を規制し、各パッド側係止部３５の係止片３２に対する係合の解除を規制する。
【００５３】
図５を参照し、弾性レバー部５３は、ベース体３４に支持された弾性片５３ｂと、弾性片５３ｂの下面に突設された爪部５３ｃと、を備えている。弾性片５３ｂは、前後方向に延びる帯状をなし、例えばベース体３４に左右一対のスリットを形成することで、ベース体３４の一部を切り出して構成されている。弾性片５３ｂは、ベース体３４の残余の部分（一般部分）に対して独立して上下に弾性変形可能である。なお、ベース体３４と別体の弾性片５３ｂをベース体３４に支持した構成でもよい。
【００５４】
弾性片５３ｂは、後端を基端、前端を自由端として、上下に揺動するように弾性変形可能である。弾性片５３ｂの前端部は、側面視で下方に凸のＵ字状をなすように湾曲した変形許容部５３ｄを形成し、この変形許容部５３ｄがベース体３４の一般部分に連結、支持されている。
【００５５】
爪部５３ｃは、例えば弾性片５３ｂの前後中間部に設けられている。爪部５３ｃは、側面視逆三角形状をなし、前側に形成された第二係止面５３ａと、後側に形成された傾斜ガイド面５３ｅと、を有している。第二係止面５３ａは、略垂直に形成され、傾斜ガイド面５３ｅは、第二係止面５３ａの下端から後側ほど上方に位置するように傾斜して形成されている。
【００５６】
図６を参照し、弾性係合部５１は、前後方向で複数（二つ）設けられている。具体的に、弾性係合部５１は、肘載せ部３０の前端部および前後方向中央部の各取り付け係合部３６の間と、肘載せ部３０の前後方向中央部および後端部の各取り付け係合部３６の間と、にそれぞれ設けられている。以下、複数の弾性係合部５１を、肘載せ部３０の前側から順に、第一および第二弾性係合部５１−１，５１−２と称することがある。
【００５７】
肘載せ部３０の前端部および前後方向中央部の間の第一弾性係合部５１−１は、その前後の第一および第二取り付け係合部３６−１，３６−２の間の中央位置よりも後側に位置している。すなわち、第一弾性係合部５１−１は、その後方の第二取り付け係合部３６−２に近接して設けられている。肘載せ部３０の前後方向中央部および後端部の間の第二弾性係合部５１−２は、その前後の第二および第三取り付け係合部３６−２，３６−３の間の中央位置よりも後側に位置している。すなわち、第二弾性係合部５１−２は、その後方の第三取り付け係合部３６−３に近接して設けられている。
【００５８】
前後に並ぶ取り付け係合部３６の間で、着座者の肘等から下方に向けて荷重入力がなされると、パッド体３１が下方に撓み、前後の取り付け係合部３６のパッド側係止部３５を前後方向内側へ引き込もうとする。このとき、前側のパッド側係止部３５の後方移動は、このパッド側係止部３５の前壁部３５ａによって規制され、後側のパッド側係止部３５の前方移動は、後側に偏って配置された弾性係合部５１によって規制される。弾性係合部５１は、前後に複数設けられるので、弾性係合部５１が単一に設けられる場合に比べて、前後に複数設けられた取り付け係合部３６の係合解除をバランス良く規制可能である。
【００５９】
弾性係合部５１は、左右方向で肘載せ部３０の中央位置を避けるように、左右方向内側に変位して設けられている。図４を併せて参照し、各弾性レバー部５３は、第三および第四前後方向リブ４２−３，４２−４の間に臨むように設けられている。そして、第三および第四前後方向リブ４２−３，４２−４の間に位置する第三中間前側幅方向リブ４５−３および第三後部幅方向リブ４４−３には、それぞれ前後の弾性レバー部５３の爪部５３ｃが係止される。
【００６０】
図４、図７を参照し、第三中間前側幅方向リブ４５−３および第三後部幅方向リブ４４−３には、それぞれ上端部前側を凹ませることで、リブ側傾斜ガイド面５２ｅが形成されている。リブ側傾斜ガイド面５２ｅは、対応する弾性レバー部５３の爪部５３ｃの傾斜ガイド面５３ｅと略平行に設けられている。第三中間前側幅方向リブ４５−３および第三後部幅方向リブ４４−３の上端部後側には、それぞれ略垂直な第一係止面５２ａが形成されている。この第一係止面５２ａに爪部５３ｃの第二係止面５３ａが係合することで、上部杆２２に対するパッド体３１の前方移動が規制されている。
【００６１】
肘載せ部３０の左右中央部は、着座者の肘等からの荷重入力を受けやすく、パッド体３１の撓みが弾性係合部５１の係合に影響する可能性がある。また、弾性係合部５１の存在がパッド体３１のクッション性に影響する可能性もある。これらの可能性を抑えるため（図６参照）、弾性係合部５１は、左右方向で肘載せ部３０の中央位置を避けるように左右方向内側に偏って配置されている。肘載せ部３０の左右方向外側は、平面視で湾曲しているので、弾性係合部５１を大きくオフセットさせることが難しいが、肘載せ部３０の左右方向内側は、平面視で直線状をなしているので、弾性係合部５１を大きくオフセットさせることが容易である。
【００６２】
ところで、パッド体３１は、表装体３３の劣化等により交換することがある。このとき、パッド体３１を上部杆２２から取り外すために、上部杆２２に対する弾性レバー部５３の係合を解除する必要がある。その際、図１０に示すように、パッド体３１と上部杆２２との間に側方から工具ＴＬを差し込み、弾性レバー部５３の係合解除を行う。工具ＴＬを差し込む位置は、肘載せ部３０の前後方向中間部においては、第四前後方向リブ４２−４の前後方向中間部のリブ切り欠き部４７が形成された位置であり、肘載せ部３０の後端部においては、第四前後方向リブ４２−４の後端よりも後方の位置である。
【００６３】
図４、図５、図１０を参照し、各工具差し込み位置において、上部杆２２には、リブを無くすことで弾性係合部５１周辺を側方に開放したリブ開放部５５が形成され、パッド体３１には、内周壁部３８を切り欠いたパッド内周切り欠き部３８ａが形成されている。これらリブ開放部５５およびパッド内周切り欠き部３８ａにより、各工具差し込み位置には、肘掛け外側から弾性係合部５１に向けて工具ＴＬを挿入可能な工具逃げ部５６が形成されている。
【００６４】
工具逃げ部５６の左右方向内側には、上部杆２２の外周壁部２２ｂとパッド体３１の外周部３１ｂとが配置されている。上部杆２２の外周壁部２２ｂとパッド体３１の外周部３１ｂとの間には、パッド体３１が弾性変形していない通常状態では隙間がないか、あるいは微小な隙間しかない（図９参照）。このため、工具逃げ部５６は、通常時には上部杆２２の外周壁部２２ｂとパッド体３１の外周部３１ｂとによって肘掛け外側から遮蔽されている。
【００６５】
一方、パッド体３１の外周部３１ｂは、パッド体３１自体が弾性を有することから、上方に捲り上げるように弾性変形することによって、上部杆２２の外周壁部２２ｂとパッド体３１の外周部３１ｂとの間に隙間を形成可能であり、工具逃げ部５６を肘掛け外側に露呈させることが可能である（図１０参照）。すなわち、パッド体３１の外周部３１ｂは、工具逃げ部５６を遮蔽した第一状態から、工具逃げ部５６を肘掛け外側に露呈させた第二状態へ弾性変形可能な遮蔽部５７を構成している。
【００６６】
遮蔽部５７は、軟質の表装体３３を含んで構成されているので、弾性変形が容易である。また、遮蔽部５７が肘載せ部３０のパッド体３１を利用して構成されているので、別途の遮蔽部５７材を用いる場合に比べて部品点数の増加が抑えられ、かつ一体感があるので外観や触感が良好であり、さらに清掃のしやすさも良好である。また、遮蔽部５７の弾性変形を利用して工具逃げ部５６を開閉するので、別途の遮蔽部材を着脱する場合に比べて、パッド体３１の着脱作業がさらに容易である。
【００６７】
次に、パッド体３１を上部杆２２に取り付ける方法について説明する。
まず、パッド体３１の下面を、上部杆２２の上面に対向させ、パッド体３１を上部杆２２への取り付け位置よりも前方にずれた取り付け前位置に配置する。このとき、各パッド側係止部３５は、係止片３２前方の係合空間Ｋ１内に入り込む。
【００６８】
次に、パッド体３１を上部杆２２の上面に沿って後方移動させ、各パッド側係止部３５を後方移動させて、各パッド側係止部３５の下壁部３５ｂを係止片３２の先端部３２ｃの下方に進入させる。そして、各パッド側係止部３５の前壁部３５ａを係止片３２の前端に突き当てることで、パッド体３１を上部杆２２への取り付け位置で停止させる。このとき、各パッド側係止部３５の下壁部３５ｂの上面が係止片３２の先端部３２ｃの下面に圧接し、パッド体３１の上方移動（上部杆２２上方への離脱）およびガタツキが規制される。
【００６９】
また、パッド体３１が上部杆２２への取り付け位置に移動したとき、各パッド側係止部３５の前壁部３５ａが係止片３２の前端に当接するとともに、各パッド側係止部３５の側壁部３５ｃが係止片３２の側端に当接し、パッド体３１の後方移動および左右方向移動が規制される。パッド体３１の前方移動は、弾性係合部５１の係合によって規制される。これにより、上部杆２２上にパッド体３１が固定的に取り付けられた状態となる。
【００７０】
パッド体３１を上部杆２２に取り付ける際、パッド体３１を取り付け前位置に配置すると、前後の弾性レバー部５３の爪部５３ｃは、それぞれ前後の係合リブ５２の上端部の前方に配置される。このとき、弾性レバー部５３の爪部５３ｃは、係合リブ５２の上端部と上下方向位置をラップさせる。この状態で、パッド体３１を上部杆２２の上面に沿って後方移動させると、爪部５３ｃの傾斜ガイド面５３ｅと係合リブ５２のリブ側傾斜ガイド面５２ｅとが摺接し、弾性レバー部５３を上方に弾性変形させる。
【００７１】
これにより、各パッド側係止部３５を後方にスライドさせて係止片３２に係合させる動作のみで、弾性レバー部５３を係合リブ５２の上端部を乗り越えて後方移動させることが可能である。弾性レバー部５３は、係合リブ５２の上端部を後方に乗り越えた後に弾性変形前の状態に戻り、爪部５３ｃと係合リブ５２の上端部との上下方向位置をラップさせる。このとき、爪部５３ｃの第二係止面５３ａと係合リブ５２の第一係止面５２ａとが前後方向で対向配置される。
【００７２】
この状態でパッド体３１を前方移動させようとしても、略垂直な第一および第二係止面５２ａ，５３ａ同士が互いに突き当たることで、弾性レバー部５３が弾性変形することなく、パッド体３１の前方移動が規制される。したがって、各パッド側係止部３５の係止片３２に対する係合の解除が規制され、パッド体３１の上部杆２２への取り付け状態が維持される。
【００７３】
次に、パッド体３１を上部杆２２から取り外す方法について説明する。
まず、パッド体３１の左右方向内側の工具差し込み位置において、パッド体３１の外周部３１ｂを上方に捲り上げるように弾性変形させる。これにより、上部杆２２の外周壁部２２ｂとパッド体３１の外周部３１ｂとの間に隙間を形成し、この隙間を通じて工具逃げ部５６を肘掛け外側に露呈させる。すなわち、パッド体３１の遮蔽部５７が、肘掛け外側から工具逃げ部５６を遮蔽した第一状態から、工具逃げ部５６を肘掛け外側に露呈させた第二状態へ変化する。そして、上部杆２２の外周壁部２２ｂとパッド体３１の外周部３１ｂとの間の隙間、および工具逃げ部５６を通じて、マイナスドライバ等の工具ＴＬを工具逃げ部５６の奥へアクセス可能とする。工具逃げ部５６の奥には、係合リブ５２の上端部に係合した弾性レバー部５３の爪部５３ｃが位置しており、この爪部５３ｃ周辺を工具ＴＬで押し上げることで、弾性係合部５１の係合を解除可能である。
【００７４】
弾性係合部５１の係合解除時には、弾性レバー部５３が上方に変位するが、この弾性レバー部５３の上方変位は、例えば弾性レバー部５３が軟質の表装体３３の下面を押圧して食い込むことで許容される。なお、表装体３３の下面に上方変位した弾性レバー部５３を避ける凹部を形成してもよい。そして、弾性係合部５１の係合解除により、パッド体３１が前方移動可能となり、各取り付け係合部３６の係合を解除可能となり、パッド体３１を上部杆２２から取り外し可能となる。
【００７５】
このように、弾性係合部５１に向けて工具ＴＬをアクセス可能とする工具逃げ部５６があり、この工具逃げ部５６が弾性層を有するパッド体３１で遮蔽されるので、通常時には工具逃げ部５６を隠し、パッド体３１の取り外し時には容易に弾性係合部５１の係合解除を行うことができる。また、パッド体３１の遮蔽部５７は、弾性変形を解除すれば遮蔽状態に戻るので、パッド体３１を再度上部杆２２に取り付ける場合にも遮蔽部５７を遮蔽状態に戻す作業は不要であり、パッド体３１の着脱作業を容易にすることができる。
【００７６】
以上説明したように、本実施形態の什器構造は、肘掛け本体２１と、弾性層（表装体３３）を有して肘掛け本体２１に着脱可能に取り付けられるパッド体３１と、を備え、肘掛け本体２１とパッド体３１との間には、肘掛け本体２１に対するパッド体３１の移動を規制する弾性係合部５１が設けられ、肘掛け本体２１およびパッド体３１の少なくとも一方には、肘掛け外側から弾性係合部５１に向けて工具ＴＬを挿入可能な工具逃げ部５６が設けられ、パッド体３１には、工具逃げ部５６を遮蔽した第一状態から工具逃げ部５６を露呈させた第二状態へ弾性変形可能な遮蔽部５７が設けられている。
この構成によれば、肘掛け本体２１にパッド体３１を取り付けた際のパッド体３１の相対移動を弾性係合部５１で規制するとともに、この弾性係合部５１に通じる工具逃げ部５６をパッド体３１の遮蔽部５７で遮蔽した。パッド体３１を取り外す際には、パッド体３１の遮蔽部５７を弾性変形させて工具逃げ部５６を露呈させることで、弾性係合部５１に工具ＴＬを差し込んで係合解除を行うことができる。工具逃げ部５６は、通常時には遮蔽部５７によって遮蔽されているので、什器の外観を良好にするとともに、弾性係合部５１への意図せぬ操作や悪戯を防止することができる。遮蔽部５７は、表装体３３を有するパッド体３１を利用することで、少ない部品点数と簡単な構造で、遮蔽部の弾性変形により工具逃げ部５６を開閉する構造を設けることができる。
【００７７】
また、本実施形態の什器構造において、肘掛け本体２１とパッド体３１との間には、肘掛け本体２１に対してパッド体３１が荷重入力面（肘載せ面３１ａ）に沿う第一の方向（後方）に移動することで係合し、肘掛け本体２１に対するパッド体３１の離脱を規制する第二係合部（取り付け係合部３６）が設けられ、弾性係合部５１は、肘掛け本体２１に対してパッド体３１が第一の方向と反対側の第二の方向（前方）に移動することを規制する。
この構成によれば、肘掛け本体２１に対するパッド体３１の離脱は第二係合部で規制し、この第二係合部の係合解除方向へのパッド体３１の移動のみ弾性係合部５１で規制することで、弾性係合部５１を簡単かつ小型にし、係脱に要する力も軽減することが可能となる。このため、パッド体３１の着脱作業を容易にすることができる。また、遮蔽部５７の弾性変形により生じた隙間からの作業でも容易に弾性係合部５１の係合解除を行うことができる。
【００７８】
また、本実施形態の什器構造において、弾性係合部５１は、肘掛け本体２１に設けられ、第一の方向を向く第一係止面５２ａを有する係合リブ５２と、パッド体３１に設けられ、第二の方向を向くとともに第一係止面５２ａに係合可能な第二係止面５３ａを有し、弾性変位することによって第二係止面５３ａを第一係止面５２ａとの係合位置から退避可能な弾性レバー部５３と、を備えている。
この構成によれば、係合リブ５２の第一係止面５２ａと弾性レバー部５３の第二係止面５３ａとの当接係合により、パッド体３１が第二の方向（係合解除方向）に移動することが規制される。弾性レバー部５３は、係合位置に挿入した工具ＴＬにより弾性変形することで、第一係止面５２ａと第二係止面５３ａとの係合を解除してパッド体３１を第二の方向に移動可能とする。したがって、簡単な構成でパッド体３１の着脱作業を容易にすることができる。
【００７９】
また、本実施形態の什器構造において、遮蔽部５７は、表装体３３を含んで構成されている。
この構成によれば、工具逃げ部５６を遮蔽する遮蔽部５７を弾性変形させる際、遮蔽部５７の弾性変形が容易になり、パッド体３１を取り外す際に工具逃げ部５６を露呈させやすくなるので、パッド体３１の着脱作業性を向上させることができる。また、遮蔽部５７をパッド体３１と一体形成可能となり、部品点数を増やすことなく弾性変形可能な遮蔽部５７を設けることができる。
【００８０】
また、本実施形態の什器構造において、パッド体３１は、表装体３３を支持するとともに肘掛け本体２１への係合要素（弾性レバー部５３およびパッド側係止部３５）を形成するベース体３４を備え、ベース体３４には、工具逃げ部５６（パッド内周切り欠き部３８ａ）が設けられている。
この構成によれば、肘掛け本体２１への係合要素を形成するベース体３４が弾性変形し難くても、このベース体３４に工具逃げ部５６を設けることで、工具ＴＬの挿入を容易にすることができる。
なお、ベース体３４から独立して表装体３３を弾性変形させる構成としてもよい。すなわち、表装体３３のみで工具逃げ部５６の遮蔽部５７を構成してもよい。この場合、工具ＴＬの挿入および弾性係合部５１の係合解除をより一層容易にすることができる。
【００８１】
また、本実施形態の什器構造において、第二係合部（取り付け係合部３６）は、肘載せ面３１ａの長手方向で複数設けられ、弾性係合部５１は、複数の第二係合部の内、長手方向で順に並ぶ一対の第二係合部の間に設けられ、かつ一対の第二係合部の間の長手方向の中央位置よりも第一の方向に寄って配置されている。
この構成によれば、肘載せ面３１ａの長手方向に並ぶ複数の第二係合部の内、長手方向で隣り合う一対の第二係合部の間に弾性係合部５１を配置し、この弾性係合部５１を一対の第二係合部の内の第一の方向（係合方向）にあるものに近付けて配置した。一対の第二係合部の間で肘載せ面３１ａに荷重入力があると、一対の第二係合部の内の係合方向にある第二係合部では、パッド体３１の撓みによりパッド体３１の係合要素が引き込まれ、この係合要素が係合解除方向へ移動しようとする。この第二係合部の近くに弾性係合部５１を配置し、パッド体３１の係合解除方向への移動を規制することで、第二係合部の係合が予期せず解除されてパッド体３１が外れてしまうことを効果的に防ぐことができる。
【００８２】
なお、本発明は上記実施形態に限られるものではなく、例えば、弾性係合部は、弾性レバー部に相当する弾性変形可能な係合要素を肘掛け本体側に設けた構成でもよい。工具逃げ部は、肘掛け本体およびパッド体の一方のみに設けた切り欠き等で構成されてもよい。パッド体の遮蔽部は、ベース体を含まず表装体（弾性層）のみで構成されてもよい。椅子の座や背凭れ等、肘掛け以外に適用してもよく、ひいては椅子以外の什器に適用してもよい。
【００８３】
また、表装形成体（パッド体）における軟質の表装体を捲り上げた状態（表装体の少なくとも一部が弾性変形した状態）で、例えばベース体に形成されたヒンジ部で開閉する扉等の遮蔽手段を開くことで、工具逃げ部を開放する態様（すなわち、表装体は弾性変形しているが、ベース体は弾性変形していない態様）も有り得る。
また、表装形成体における表装体がウレタンのような軟質性の素材ではなく、ベース体に比べて相対的に硬度が小である樹脂板等からなる態様も有り得る。
そして、上記実施形態における構成は本発明の一例であり、当該発明の要旨を逸脱しない範囲で種々の変更が可能である。
【符号の説明】
【００８４】
１  椅子（什器）
２０  肘掛け
２１  肘掛け本体（支持構造体）
２２  上部杆
３０  肘載せ部
３１  パッド体（表装形成体）
３１ａ  肘載せ面（荷重入力面）
３２  係止片
３３  表層体（弾性層）
３４  ベース体
３５  パッド側係止部
３６  取り付け係合部（第二係合部）
３８ａ  パッド内周切り欠き部（工具逃げ部）
５１  弾性係合部（係合部）
５２  係合リブ
５２ａ  第一係止面
５３  弾性レバー部
５３ａ  第二係止面
５５  リブ開放部（工具逃げ部）
５６  工具逃げ部
５７  遮蔽部
【図１】
2019126378.tif 000003
【図２】
2019126378.tif 000004
【図３】
2019126378.tif 000005
【図４】
2019126378.tif 000006
【図５】
2019126378.tif 000007
【図６】
2019126378.tif 000008
【図７】
2019126378.tif 000009
【図８】
2019126378.tif 000010
【図９】
2019126378.tif 000011
【図１０】
2019126378.tif 000012